(57)【要約】【課題】ディスプレイ装置、電源電圧生成装置、及び電源電圧生成方法を提供する。【解決手段】データ駆動信号の電圧レベルを保存する保存キャパシタを備える複数の画素回路と、複数のガンマ電圧を生成するガンマ電圧生成部と、を備え、複数のガンマ電圧からデータ駆動信号を生成して複数の画素回路に出力するデータ駆動部と、走査信号を生成して複数の画素回路に出力する走査駆動部と、ガンマ電圧生成部に印加されるガンマフィルタ電源電圧及び保存キャパシタに印加される保存キャパシタ電源電圧を生成して出力する電源電圧生成部と、を備え、電源電圧生成部は、単一電圧源から同じ位相を有するガンマフィルタ電源電圧及び保存キャパシタ電源電圧を生成して出力するディスプレイ装置である。【選択図】図２
2011059683.tif 000002
【特許請求の範囲】
【請求項１】
データ駆動信号の電圧レベルを保存する保存キャパシタを備える複数の画素回路と、
複数のガンマ電圧を生成するガンマ電圧生成部を備え、前記複数のガンマ電圧からデータ駆動信号を生成して前記複数の画素回路に出力するデータ駆動部と、
走査信号を生成して前記複数の画素回路に出力する走査駆動部と、
前記ガンマ電圧生成部に印加されるガンマフィルタ電源電圧及び前記保存キャパシタに印加される保存キャパシタ電源電圧を生成して出力する電源電圧生成部と、を備え、
前記電源電圧生成部は、単一電圧源から同じ位相を有する前記ガンマフィルタ電源電圧及び前記保存キャパシタ電源電圧を生成して出力するディスプレイ装置。
【請求項２】
前記電源電圧生成部は、
第１電源電圧を生成して出力する基準電圧出力部と、
前記複数の画素回路の保存キャパシタに印加される保存キャパシタ電源電圧を出力する保存キャパシタ電源出力部と、
ガンマ電圧生成部に印加されるガンマフィルタ電源電圧を出力するガンマフィルタ電源出力部と、を備え、
前記保存キャパシタ電源出力部及び前記ガンマフィルタ電源出力部は、前記第１電源電圧からそれぞれ前記保存キャパシタ電源電圧及び前記ガンマフィルタ電源電圧を生成して出力することを特徴とする請求項１に記載のディスプレイ装置。
【請求項３】
前記保存キャパシタ電源出力部及び前記ガンマフィルタ電源出力部は、前記保存キャパシタ電源電圧及び前記ガンマフィルタ電源電圧が同じ位相を有するように、前記第１電源電圧を電圧分割し、それぞれ前記保存キャパシタ電源電圧及び前記ガンマフィルタ電源電圧を生成して出力することを特徴とする請求項２に記載のディスプレイ装置。
【請求項４】
前記電源電圧生成部は、前記第１電源電圧を第２電源電圧及び第３電源電圧に電圧分割し、前記第２電源電圧を前記保存キャパシタ電源出力部に出力し、前記第３電源電圧を前記ガンマフィルタ電源出力部に出力する電圧分割部をさらに備え、
前記保存キャパシタ電源出力部は、前記第２電源電圧から前記保存キャパシタ電源電圧を生成し、
前記ガンマフィルタ電源出力部は、前記第３電源電圧から前記ガンマフィルタ電源電圧を生成し、
前記電圧分割部は、前記第２電源電圧及び前記第３電源電圧が同じ位相を有するように、前記第１電源電圧を電圧分割することを特徴とする請求項２に記載のディスプレイ装置。
【請求項５】
前記ガンマフィルタ電源出力部は、前記保存キャパシタ電源電圧を電圧分割し、前記保存キャパシタ電源電圧と同じ位相を有する前記ガンマフィルタ電源電圧を生成して出力することを特徴とする請求項２に記載のディスプレイ装置。
【請求項６】
前記ディスプレイ装置は、有機電界発光ディスプレイ装置であることを特徴とする請求項１に記載のディスプレイ装置。
【請求項７】
複数の画素回路を備えるディスプレイ装置の電源電圧を生成する電源電圧生成装置において、
第１電源電圧を生成して出力する基準電圧出力部と、
前記複数の画素回路の保存キャパシタに印加される保存キャパシタ電源電圧を出力する保存キャパシタ電源出力部と、
ガンマ電圧生成部に印加されるガンマフィルタ電源電圧を出力するガンマフィルタ電源出力部と、を備え、
前記保存キャパシタ電源出力部及び前記ガンマフィルタ電源出力部は、前記第１電源電圧からそれぞれ前記保存キャパシタ電源電圧及び前記ガンマフィルタ電源電圧を生成して出力する電源電圧生成装置。
【請求項８】
前記保存キャパシタ電源出力部及び前記ガンマフィルタ電源出力部は、前記保存キャパシタ電源電圧及び前記ガンマフィルタ電源電圧が同じ位相を有するように、前記第１電源電圧を電圧分割し、それぞれ前記保存キャパシタ電源電圧及び前記ガンマフィルタ電源電圧を生成して出力することを特徴とする請求項７に記載の電源電圧生成装置。
【請求項９】
前記第１電源電圧を第２電源電圧及び第３電源電圧に電圧分割し、前記第２電源電圧を前記保存キャパシタ電源出力部に出力し、前記第３電源電圧を前記ガンマフィルタ電源出力部に出力する電圧分割部をさらに備え、
前記保存キャパシタ電源出力部は、前記第２電源電圧から前記保存キャパシタ電源電圧を生成し、
前記ガンマフィルタ電源出力部は、前記第３電源電圧から前記ガンマフィルタ電源電圧を生成し、
前記電圧分割部は、前記第２電源電圧及び前記第３電源電圧が同じ位相を有するように、前記第１電源電圧を電圧分割することを特徴とする請求項７に記載の電源電圧生成装置。
【請求項１０】
前記ガンマフィルタ電源出力部は、前記保存キャパシタ電源電圧を電圧分割し、前記保存キャパシタ電源電圧と同じ位相を有する前記ガンマフィルタ電源電圧を生成して出力することを特徴とする請求項７に記載の電源電圧生成装置。
【請求項１１】
前記ディスプレイ装置は、有機電界発光ディスプレイ装置であることを特徴とする請求項７に記載の電源電圧生成装置。
【請求項１２】
ディスプレイ装置の電源電圧を供給するための電源電圧生成方法において、前記ディスプレイ装置は、
データ駆動信号の電圧レベルを保存する保存キャパシタを備える複数の画素回路と、
複数のガンマ電圧を生成するガンマ電圧生成部を備え、前記複数のガンマ電圧からデータ駆動信号を生成して前記複数の画素回路に出力するデータ駆動部と、
走査信号を生成して前記複数の画素回路に出力する走査駆動部と、を備え、
前記電源電圧生成方法は、
保存キャパシタ電源電圧を生成して前記保存キャパシタに出力するステップと、
ガンマフィルタ電源電圧を生成して前記ガンマ電圧生成部に出力するステップと、を含み、
前記ガンマフィルタ電源電圧及び前記保存キャパシタ電源電圧は、単一電圧源から生成され、同じ位相を有する電源電圧生成方法。
【発明の詳細な説明】
【技術分野】
【０００１】
本発明の実施形態は、単一電圧源からディスプレイ装置の保存キャパシタ電源電圧及びガンマフィルタ電源電圧を生成して出力するディスプレイ装置、電源電圧生成装置、及び電源電圧生成方法に関する。
【背景技術】
【０００２】
ディスプレイ装置は、入力データに対応するデータ駆動信号を複数の画素回路に印加して各画素の輝度を調節することによって、入力データを画像に変換してユーザに提供する。複数の画素回路に出力するデータ駆動信号は、データ駆動部から生成される。データ駆動部は、ガンマフィルタ回路から生成された複数のガンマ電圧のうち、前記入力データに対応するガンマ電圧を選択し、選択されたガンマ電圧を複数の画素回路にデータ駆動信号として出力する。
【先行技術文献】
【特許文献】
【０００３】
【特許文献１】特開２００８−００３５４７０号公報
【発明の概要】
【発明が解決しようとする課題】
【０００４】
本発明が解決しようとする課題は、単一電圧源からディスプレイ装置のガンマフィルタ電源電圧及び保存キャパシタ電源電圧を生成し、電圧源から発生したノイズによるフリッカー現象を減少させることである。
【課題を解決するための手段】
【０００５】
本発明の一実施形態によるディスプレイ装置は、データ駆動信号の電圧レベルを保存する保存キャパシタを備える複数の画素回路と、複数のガンマ電圧を生成するガンマ電圧生成部と、を備え、前記複数のガンマ電圧からデータ駆動信号を生成して前記複数の画素回路に出力するデータ駆動部と、走査信号を生成して前記複数の画素回路に出力する走査駆動部と、前記ガンマ電圧生成部に印加されるガンマフィルタ電源電圧及び前記保存キャパシタに印加される保存キャパシタ電源電圧を生成して出力する電源電圧生成部と、を備え、前記電源電圧生成部は、単一電圧源から同じ位相を有する前記ガンマフィルタ電源電圧及び前記保存キャパシタ電源電圧を生成して出力する。
【０００６】
前記電源電圧生成部は、第１電源電圧を生成して出力する基準電圧出力部と、前記複数の画素回路の保存キャパシタに印加される保存キャパシタ電源電圧を出力する保存キャパシタ電源出力部と、ガンマ電圧生成部に印加されるガンマフィルタ電源電圧を出力するガンマフィルタ電源出力部と、を備え、前記保存キャパシタ電源出力部及び前記ガンマフィルタ電源出力部は、前記第１電源電圧からそれぞれ前記保存キャパシタ電源電圧及び前記ガンマフィルタ電源電圧を生成して出力できる。
【０００７】
前記保存キャパシタ電源出力部及び前記ガンマフィルタ電源出力部は、前記保存キャパシタ電源電圧及び前記ガンマフィルタ電源電圧が同じ位相を有するように、前記第１電源電圧を電圧分割し、それぞれ前記保存キャパシタ電源電圧及び前記ガンマフィルタ電源電圧を生成して出力できる。
本発明の一実施形態によれば、前記電源電圧生成部は、前記第１電源電圧を第２電源電圧及び第３電源電圧に電圧分割し、前記第２電源電圧を前記保存キャパシタ電源出力部に出力し、前記第３電源電圧を前記ガンマフィルタ電源出力部に出力する電圧分割部をさらに備え、前記保存キャパシタ電源出力部は、前記第２電源電圧から前記保存キャパシタ電源電圧を生成し、前記ガンマフィルタ電源出力部は、前記第３電源電圧から前記ガンマフィルタ電源電圧を生成し、前記電圧分割部は、前記第２電源電圧及び前記第３電源電圧が同じ位相を有するように、前記第１電源電圧を電圧分割できる。
【０００８】
本発明の他の実施形態によれば、前記ガンマフィルタ電源出力部は、前記保存キャパシタ電源電圧を電圧分割し、前記保存キャパシタ電源電圧と同じ位相を有する前記ガンマフィルタ電源電圧を生成して出力できる。
また、前記ディスプレイ装置は、有機電界発光ディスプレイ装置であり得る。
本発明の一実施形態による複数の画素回路を備えるディスプレイ装置の電源電圧を生成する電源電圧生成装置は、第１電源電圧を生成して出力する基準電圧出力部と、前記複数の画素回路の保存キャパシタに印加される保存キャパシタ電源電圧を出力する保存キャパシタ電源出力部と、ガンマ電圧生成部に印加されるガンマフィルタ電源電圧を出力するガンマフィルタ電源出力部と、を備え、前記保存キャパシタ電源出力部及び前記ガンマフィルタ電源出力部は、前記第１電源電圧からそれぞれ前記保存キャパシタ電源電圧及び前記ガンマフィルタ電源電圧を生成して出力する。
【０００９】
本発明の一実施形態によれば、ディスプレイ装置の電源電圧を供給するための電源電圧生成方法が提供され、前記ディスプレイ装置は、データ駆動信号の電圧レベルを保存する保存キャパシタを備える複数の画素回路と、複数のガンマ電圧を生成するガンマ電圧生成部と、を備え、前記複数のガンマ電圧からデータ駆動信号を生成して前記複数の画素回路に出力するデータ駆動部と、走査信号を生成して前記複数の画素回路に出力する走査駆動部と、を備え、前記電源電圧生成方法は、保存キャパシタ電源電圧を生成して前記保存キャパシタに出力するステップと、ガンマフィルタ電源電圧を生成して前記ガンマ電圧生成部に出力するステップと、を含み、前記ガンマフィルタ電源電圧及び前記保存キャパシタ電源電圧は、単一電圧源から生成され、同じ位相を有する。
【発明の効果】
【００１０】
本発明の実施形態によれば、ディスプレイ装置のガンマフィルタ電源電圧及び保存キャパシタ電源電圧を単一電圧源から生成し、前記単一電圧源から発生したノイズを相殺させることによって、ノイズによるフリッカー現象を減少させ得る。
【図面の簡単な説明】
【００１１】
【図１】本発明の一実施形態によるディスプレイ装置の構造を示す図面である。
【図２】電源電圧生成部の一実施形態を示す図面である。
【図３】電源電圧生成部の他の実施形態を示す図面である。
【図４Ａ】本発明の実施形態によって、電圧源に含まれたノイズが相殺されるメカニズムを説明するための図面である。
【図４Ｂ】本発明の実施形態によって、電圧源に含まれたノイズが相殺されるメカニズムを説明するための図面である。
【図５】本発明の一実施形態によるデータ駆動部の構造を示す図面である。
【図６】ガンマ電圧生成部の例示的な構造を示す図面である。
【図７】本発明の一実施形態による複数の画素回路の構造を示す図面である。
【図８】本発明の一実施形態による画素回路の構造を示す図面である。
【図９】本発明の一実施形態によるディスプレイ装置の電源電圧を供給するための電源電圧生成方法を示すフローチャートである。
【発明を実施するための形態】
【００１２】
以下、添付した図面を参照して、本発明の実施形態を説明する。下記の説明及び添付図面は、本発明による動作を理解するためのものであり、当業者が容易に具現できる部分は省略され得る。
また、本明細書及び図面は、本発明を制限するための目的で提供されたものではなく、本発明の範囲は、特許請求の範囲によって決定されねばならない。本明細書で使われた用語は、本発明を最も適切に表現できるように、本発明の技術的思想に適合した意味及び概念として解釈されねばならない。
【００１３】
以下、添付した図面を参照して、本発明の実施形態を説明する。
図１は、本発明の一実施形態によるディスプレイ装置の構造を示した図面である。
本発明の一実施形態によるディスプレイ装置１００は、タイミング制御部１１０、データ駆動部１２０、走査駆動部１３０、複数の画素回路１４０、及び電源電圧生成部１５０を備える。
タイミング制御部１１０は、垂直同期信号Ｖｓｙｎｃ、水平同期信号Ｈｓｙｎｃ、データイネーブル信号ＤＥ及び画像データ信号ＤＡＴＡ_ｉｎを入力され、データ駆動部１２０の仕様に合うように、画像データ信号ＤＡＴＡ_ｉｎを変換したＲＧＢデータ信号ＤＡＴＡをデータ駆動部１２０に出力する。また、データ駆動信号Ｄ１,Ｄ２,...,ＤＭをデータ駆動部１２０から複数の画素回路１４０に出力するための基準タイミングを提供する水平同期開始信号ＳＴＨ(Ｓｔａｒｔ Ｈｏｒｉｚｏｎｔａｌ)及びロード信号ＴＰを生成してデータ駆動部１２０に出力できる。
【００１４】
タイミング制御部１１０は、第一の走査ラインの選択のための垂直同期開始信号ＳＴＶ(Ｓｔａｒｔ Ｖｅｒｔｉｃａｌ)、次のゲートラインを順次に選択するゲートクロック信号ＣＰＶ、及び走査駆動部１３０の出力を制御する出力イネーブル信号ＯＥ（Ｏｕｔｐｕｔ Ｅｎａｂｌｅ)を走査駆動部１３０に出力する。
データ駆動部１２０は、複数のデータ駆動ＩＣからなり、タイミング制御部１１０から入力されたＲＧＢデータ信号ＤＡＴＡと制御信号ＳＴＨ,ＴＰを入力されてデータ駆動信号Ｄ１,Ｄ２,...,ＤＭを生成し、データ駆動信号Ｄ１,Ｄ２,...,ＤＭをそれぞれのデータラインに出力する。データ駆動信号Ｄ１,Ｄ２,...,ＤＭは、複数の画素回路１４０に印加される。
【００１５】
また、データ駆動部１２０は、ガンマ電圧生成部１２２を備える。ガンマ電圧生成部１２２は、ガンマフィルタ電源電圧Ｖｇａｍｍａを電圧分割して複数のガンマ電圧を生成する。
走査駆動部１３０は、複数の走査駆動ＩＣからなり、タイミング制御部１１０から提供される制御信号ＣＰＶ,ＳＴＶ,ＯＥによって複数の画素回路１４０のそれぞれの走査ラインに走査信号Ｓ１,Ｓ２,...,ＳＮを印加し、それぞれの走査ラインに連結された複数の画素回路１４０を順次に走査する。例えば、同じ行に配された画素回路が同じ走査ラインに連結され、各走査ラインが順次に駆動され得る。
【００１６】
複数の画素回路１４０は、走査信号Ｓ１,Ｓ２,...,ＳＮ及びデータ駆動信号Ｄ１,Ｄ２,...,ＤＭによって駆動され、データ駆動信号Ｄ１,Ｄ２,...,ＤＭの電圧レベルによって発光する。複数の画素回路１４０は、例えば、ＭｘＮ(Ｍ及びＮは、自然数）の２次マトリックス状に配列され得る。また、複数の画素回路１４０は、例えば、有機発光ダイオード(ＯＬＥＤ：Ｏｒｇａｎｉｃ Ｌｉｇｈｔ Ｅｍｉｔｔｉｎｇ Ｄｉｏｄｅ)を利用して発光できる。複数の画素回路１４０には、それぞれの画素回路を駆動するためのアノード電源電圧ＥＬＶＤＤ及びカソード電源電圧ＥＬＶＳＳが印加される。
【００１７】
それぞれの画素回路は、データ駆動信号Ｄ１,Ｄ２,...,ＤＭの電圧レベルを保存するための保存キャパシタＣｓｔを備え得る。保存キャパシタＣｓｔは、アノード電源電圧ＥＬＶＤＤまたはアノード電源電圧ＥＬＶＤＤと異なる別途の電源電圧を利用して、データ駆動信号Ｄ１,Ｄ２,...,ＤＭの電圧レベルを保存し得る。保存キャパシタＣｓｔに連結された電源電圧は、保存キャパシタ電源電圧と称す。本明細書では、保存キャパシタ電源電圧をアノード電源電圧ＥＬＶＤＤと同じ実施形態を中心に本発明の実施形態を説明する。しかし、本発明は、これに限定されず、保存キャパシタ電源電圧がアノード電源電圧ＥＬＶＤＤと異なる別途の電源電圧で具現される実施形態も含む。
【００１８】
図２は、電源電圧生成部１５０の一実施形態を示した図面である。
本発明の一実施形態による電源電圧生成部１５０ａは、同じ電圧源から出力された第１電源電圧Ｖｒｅｆ１を電圧分割してガンマフィルタ電源電圧Ｖｇａｍｍａ及び保存キャパシタ電源電圧ＥＬＶＤＤを生成する。電源電圧生成部１５０ａは、基準電圧出力部２１０、電圧分割部２２０、保存キャパシタ電源出力部２３０、及びガンマフィルタ電源出力部２４０ａを備え得る。
基準電圧出力部２１０は、外部電圧源(図示せず)から外部電源電圧Ｖｓｏｕｒｃｅを入力され、第１電源電圧Ｖｒｅｆ１を生成する。基準電圧出力部２１０は、外部電源電圧Ｖｓｏｕｒｃｅに対して、電圧レベル調節、ノイズ低減処理を行える。
【００１９】
電圧分割部２２０は、第１電源電圧Ｖｒｅｆ１を電圧分割し、第２電源電圧Ｖｒｅｆ２及び第３電源電圧Ｖｒｅｆ３を生成する。電圧分割部２２０は、抵抗Ｒ１,Ｒ２の抵抗成分の大きさを調節して、所望のレベルの第２電源電圧Ｖｒｅｆ２及び第３電源電圧Ｖｒｅｆ３を生成できる。
保存キャパシタ電源出力部２３０は、第２電源電圧Ｖｒｅｆ２を増幅し、保存キャパシタ電源電圧ＥＬＶＤＤを複数の画素回路１４０に出力する。
ガンマフィルタ電源出力部２４０ａは、第３電源電圧Ｖｒｅｆ３を増幅し、ガンマフィルタ電源電圧Ｖｇａｍｍａを複数の画素回路１４０に出力する。
保存キャパシタ電源出力部２３０とガンマフィルタ電源出力部２４０ａとは、ソースフォロワーで具現された演算増幅器ｏｐ−Ａｍｐを利用して実施できる。
【００２０】
図３は、電源電圧生成部１５０の他の実施形態を示した図面である。
本発明の他の実施形態による電源電圧生成部１５０ｂは、基準電圧出力部２１０、保存キャパシタ電源出力部２３０、及びガンマフィルタ電源出力部２４０ｂを備え得る。
本発明の他の実施形態による保存キャパシタ電源出力部２３０は、基準電圧出力部２１０で生成された第１電源電圧Ｖｒｅｆ１を増幅し、生成された保存キャパシタ電源電圧ＥＬＶＤＤを複数の画素回路１４０に出力する。
ガンマフィルタ電源出力部２４０ｂは、保存キャパシタ電源出力部２３０から出力された保存キャパシタ電源電圧ＥＬＶＤＤを電圧分割し、これを増幅してガンマフィルタ電源電圧Ｖｇａｍｍａを出力する。ガンマフィルタ電源出力部２４０ｂは、所望のレベルのガンマフィルタ電源電圧Ｖｇａｍｍａを得るために、その抵抗成分の大きさが調節された抵抗Ｒ１,Ｒ２を含み得る。また、保存キャパシタ電源電圧ＥＬＶＤＤを電圧分割して生成された第４電源電圧Ｖｒｅｆ４を増幅するためのソースフォロワー２４２を備え得る。
【００２１】
図４Ａ及び図４Ｂは、本発明の実施形態によって外部電圧源または第１電源電圧に含まれたノイズが相殺されるメカニズムを説明するための図面である。
図４Ａに示されたように、基準電圧出力部２１０から生成された第１電源電圧Ｖｒｅｆ１には、Ａパターンの電源電圧ノイズが含まれている。本発明の実施形態は、単一電圧源、すなわち、第１電源電圧Ｖｒｅｆ１から保存キャパシタ電源電圧ＥＬＶＤＤ及びガンマフィルタ電源電圧Ｖｇａｍｍａを生成するため、保存キャパシタ電源電圧ＥＬＶＤＤとガンマフィルタ電源電圧Ｖｇａｍｍａとは、同じパターン(Ａパターン）のノイズを有する。特に、第１電源電圧Ｖｒｅｆ１を抵抗成分を利用して電圧分割することによって、保存キャパシタ電源電圧ＥＬＶＤＤとガンマフィルタ電源電圧Ｖｇａｍｍａとが同じ位相のノイズを有する。保存キャパシタ電源電圧ＥＬＶＤＤと、ガンマフィルタ電源電圧Ｖｇａｍｍａから生成されたデータ駆動信号Ｄ１,Ｄ２,...,ＤＭとは、それぞれの画素回路に含まれた保存キャパシタＣｓｔの両端にそれぞれ印加される。結局、保存キャパシタ電源電圧ＥＬＶＤＤと、ガンマフィルタ電源電圧Ｖｇａｍｍａから生成されたデータ駆動信号Ｄ１,Ｄ２,...,ＤＭとに含まれた同位上のＡパターンノイズは、保存キャパシタＣｓｔで相殺される。これにより、電圧源に含まれたノイズによって発生できる画面フリッカー現象が除去される。
【００２２】
図４Ｂは、本発明の他の実施形態による電源電圧生成部１５０ｂで第１電源電圧Ｖｒｅｆ１にノイズ刺激信号ｎｏｉｓｅ ｓｔｉｍｕｌｕｓを利用してノイズを添加した時、出力される保存キャパシタ電源電圧ＥＬＶＤＤ及びガンマフィルタ電源電圧Ｖｇａｍｍａの波形を示した図面である。図４Ｂに示されたように、保存キャパシタ電源電圧ＥＬＶＤＤ及びガンマフィルタ電源電圧Ｖｇａｍｍａは、同じパターンと同じ位相のノイズを有する。
図５は、本発明の一実施形態によるデータ駆動部１２０の構造を示した図面である。
本発明の一実施形態によるデータ駆動部１２０は、ガンマ電圧生成部１２２、シフトレジスタ５１０、複数のデジタル−アナログ変換部５３０ａ,５３０ｂ,...,５３０ｍ、及び複数のデータ駆動信号出力部５４０ａ,５４０ｂ,...,５４０ｍを備え得る。
【００２３】
シフトレジスタ５１０は、制御信号ＳＴＨ,ＴＤと共にＲＧＢデータ信号ＤＡＴＡを入力され、ＲＧＢデータ信号ＤＡＴＡをそれぞれのデータラインに対応する複数のデジタル−アナログ変換部５３０ａ,５３０ｂ,...,５３０ｍに出力する。
ガンマ電圧生成部１２２は、ガンマフィルタ電源電圧Ｖｇａｍｍａを入力され、複数のガンマ電圧Ｖ０,Ｖ１,...,Ｖ２５５を生成して複数のデジタル−アナログ変換部５３０ａ,５３０ｂ,...,５３０ｍに印加する。ガンマ電圧生成部１２２は、ＲＧＢのそれぞれに対して異なるガンマ電圧を生成できる。また、複数のガンマ電圧Ｖ０,Ｖ１,...,Ｖ２５５の数は、図５に示されたように、２５６個に制限されず、ディスプレイ装置１００の仕様によって異なって決定できる。
【００２４】
複数のデジタル−アナログ変換部５３０ａ,５３０ｂ,...,５３０ｍは、ガンマ電圧生成部１２２から入力された複数のガンマ電圧Ｖ０,Ｖ１,...,Ｖ２５５のうち、ＲＧＢデータ信号ＤＡＴＡに対応するガンマ電圧を選択して複数のデータ駆動信号出力部５４０ａ,５４０ｂ,５４０ｃ,…,５４０ｍのそれぞれに出力する。それぞれのデジタル−アナログ変換部５３０ａ,５３０ｂ,...,５３０ｍに出力されるＲＧＢデータ信号ＤＡＴＡは、選択信号として作用する。
【００２５】
複数のデータ駆動信号出力部５４０ａ,５４０ｂ,５４０ｃ,...,５４０ｍは、デジタル−アナログ変換部５３０ａ,５３０ｂ,...,５３０ｍから入力されたガンマ電圧を増幅し、それぞれのデータラインにデータ駆動信号Ｄ１,Ｄ２,...,ＤＭを出力する。複数のデータ駆動信号出力部５４０ａ,５４０ｂ,５４０ｃ,...,５４０ｍは、ソースフォロワーで具現された演算増幅器を利用して実施され得る。
【００２６】
図６は、ガンマ電圧生成部１２２の例示的な構造を示した図面である。
ガンマ電圧生成部１２２は、図６に示されたように、ガンマ基準電圧生成部６１０及びガンマフィルタ回路６２０を備え得る。ガンマ基準電圧生成部６１０は、ガンマフィルタ電源電圧Ｖｇａｍｍａを複数の抵抗成分Ｒａ１,Ｒａ２,...,Ｒａ１２８を利用して電圧分割して複数のガンマ基準電圧を生成する。ガンマフィルタ回路６２０は、前記複数のガンマ基準電圧を複数の抵抗成分Ｒｂ１,Ｒｂ２,Ｒｂ３,Ｒｂ４,...,Ｒｂ２５４、及びＲｂ２５５を利用して電圧分割して複数のガンマ電圧Ｖ０,Ｖ１,...,Ｖ２５５を生成する。
【００２７】
図６に示されたように、ガンマ電圧生成部１２２は、抵抗成分を利用してガンマフィルタ電源電圧Ｖｇａｍｍａを電圧分割するため、ガンマフィルタ電源電圧Ｖｇａｍｍａに含まれたノイズは、位相及びパターンが維持されたままに複数のガンマ電圧Ｖ０,Ｖ１,...,Ｖ２５５に伝えられる。また、複数のガンマ電圧Ｖ０,Ｖ１,...,Ｖ２５５に含まれたノイズは、複数のデジタル−アナログ変換部５３０ａ,５３０ｂ,...,５３０ｍと複数のデータ駆動信号出力部５４０ａ,５４０ｂ,５４０ｃ,...,５４０ｍを経て、それぞれのデータ駆動信号Ｄ１,Ｄ２,...,ＤＭにその位相及びパターンが維持されたままに伝えられる。
【００２８】
図７は、本発明の一実施形態による複数の画素回路１４０の構造を示した図面である。複数の画素回路１４０は、データ駆動信号Ｄ１,Ｄ２,...,ＤＭを伝達するデータラインと走査信号Ｓ１,Ｓ２,...,ＳＮを伝達する走査ラインとが交差する地点に、図７に示されたように配される。それぞれの画素回路Ｐ１１,Ｐ１２,...,ＰＮＭには、それに対応するデータ駆動信号(Ｄ１,Ｄ２,...,ＤＭのうちいずれか一つ)及び走査信号(Ｓ１,Ｓ２,...,ＳＮのうちいずれか一つ)が印加される。また、それぞれの画素回路Ｐ１１,Ｐ１２,...,ＰＮＭを駆動するためのアノード電源電圧ＥＬＶＤＤとカソード電源電圧ＥＬＶＳＳとがそれぞれの画素回路Ｐ１１,Ｐ１２,...,ＰＮＭに印加される。アノード電源電圧ＥＬＶＤＤはまた、保存キャパシタ電源電圧として利用され得る。
【００２９】
図８は、本発明の一実施形態による画素回路Ｐｎｍの構造を示した図面である。
本発明の一実施形態による画素回路Ｐｎｍは、走査トランジスタＭ１、駆動トランジスタＭ２、保存キャパシタＣｓｔ、及び発光素子ＯＬＥＤを備え得る。走査信号ＳＮが活性化されれば、走査トランジスタＭ１を通じてデータ駆動信号ＤＭが第１ロードＮ１に印加される。データ駆動信号ＤＭの電圧レベルは、保存キャパシタＣｓｔに保存される。駆動トランジスタＭ２は、保存キャパシタＣｓｔに保存された電圧レベルによって決定されるＶｇｓによって、発光電流IＯＬＥＤを生成して発光素子ＯＬＥＤに出力する。発光素子ＯＬＥＤは、有機発光ダイオードであり得る。
【００３０】
ガンマフィルタ電源電圧Ｖｇａｍｍａに含まれたノイズは、その位相及びパターンが維持されたままにデータ駆動信号Ｄ１,Ｄ２,...,ＤＭに含まれており、データ駆動信号Ｄ１,Ｄ２,...,ＤＭは、保存キャパシタＣｓｔの一端Ｎ１に印加される。保存キャパシタ電源電圧ＥＬＶＤＤは、ガンマフィルタ電源電圧Ｖｇａｍｍａ及びデータ駆動信号Ｄ１,Ｄ２,...,ＤＭに含まれたノイズと同じ位相及び同じパターンのノイズを含んでおり、保存キャパシタＣｓｔの他端Ｎ２に印加される。したがって、保存キャパシタＣｓｔの両端に印加されたデータ駆動信号Ｄ１,Ｄ２,...,ＤＭ及び保存キャパシタ電源電圧ＥＬＶＤＤに含まれたそれぞれのノイズは、同じ位相及びパターンを有することによって互いに相殺される。したがって、外部電圧源Ｖｓｏｕｒｃｅまたは第１基準電圧Ｖｒｅｆ１に含まれたノイズによって発生できる画面フリッカー現象が除去される。
【００３１】
図９は、本発明の一実施形態によるディスプレイ装置の電源電圧を供給するための電源電圧生成方法を示したフローチャートである。
本実施形態による電源電圧生成方法は、保存キャパシタ電源電圧を生成して出力し(Ｓ９０２)、前記保存キャパシタ電源電圧と同じ電圧源から、前記保存キャパシタ電源電圧と同じ位相を有するガンマフィルタ電源電圧を生成して出力する(Ｓ９０４)。このために、ガンマフィルタ電源電圧は、位相変化を伴わない素子を利用して生成されねばならない。例えば、保存キャパシタ電源電圧を生成した電圧源から出力された電圧を、抵抗を利用して電圧分割し、ガンマフィルタ電源電圧を生成できる。
【００３２】
以上、本発明について望ましい実施形態を中心に説明した。当業者は、本発明の本質的な特性から逸脱しない範囲で変形された形態で本発明を具現できるということが分かるであろう。したがって、前記実施形態は、限定的な観点ではなく、説明的な観点で考慮されねばならない。本発明の範囲は、前述した説明ではなく、特許請求の範囲に現れており、特許請求の範囲によって請求された発明及び請求された発明と均等な発明は、本発明に含まれていると解釈されねばならない。
【産業上の利用可能性】
【００３３】
本発明は、ディスプレイ関連の技術分野に好適に適用可能である。
【符号の説明】
【００３４】
１００    ディスプレイ装置
１１０    タイミング制御部
１２０    データ駆動部
１２２    ガンマ電圧生成部
１３０    走査駆動部
１４０    複数の画素回路
１５０,１５０ａ,１５０ｂ    電源電圧生成部
２１０    基準電圧出力部
２２０    電圧分割部
２３０    保存キャパシタ電源出力部
２４０ａ,２４０ｂ    ガンマフィルタ電源出力部
２４２    ソースフォロワー
５１０    シフトレジスタ
５３０ａ〜５３０ｍ    デジタル−アナログ変換部
５４０ａ〜５４０ｍ    データ駆動信号出力部
６１０    ガンマ基準電圧生成部
６２０    ガンマフィルタ回路
Ｍ１    走査トランジスタ
Ｍ２    駆動トランジスタ
Ｃｓｔ    保存キャパシタ
ＯＬＥＤ    発光素子
【図１】
2011059683.tif 000003
【図２】
2011059683.tif 000004
【図３】
2011059683.tif 000005
【図４Ａ】
2011059683.tif 000006
【図４Ｂ】
2011059683.tif 000007
【図５】
2011059683.tif 000008
【図６】
2011059683.tif 000009
【図７】
2011059683.tif 000010
【図８】
2011059683.tif 000011
【図９】
2011059683.tif 000012